(57)【特許請求の範囲】
【請求項１】
画像を投写することが可能なプロジェクタであって、
前記プロジェクタの内側または外側に取り付けられ、右チャンネルスピーカ及び左チャンネルスピーカを有するステレオスピーカと、
ステレオ音声信号源から得られる右チャンネル音声信号と左チャンネル音声信号とを入力し、それら音声信号の出力先を選択的に切り換えて、第１の切換状態では、前記右チャンネル音声信号を前記右チャンネルスピーカに、前記左チャンネル音声信号を前記左チャンネルスピーカに、それぞれ出力し、第２の切換状態では、前記右チャンネル音声信号を前記左チャンネルスピーカに、前記左チャンネル音声信号を前記右チャンネルスピーカに、それぞれ出力する音声信号切換部と、
前記画像として通常画像と該通常画像の左右が反転した反転画像と選択的に切り換えて投写することが可能な画像処理系と、
前記音声信号切換部を制御して、前記画像処理系が前記通常画像を投写する場合には、前記音声信号切換部を前記第１の切換状態にし、前記画像処理系が前記反転画像を投写する場合には、前記音声信号切換部を前記第２の切換状態にする制御部と、
を備えるプロジェクタ。
【請求項２】
画像を投写することが可能なプロジェクタであって、
前記プロジェクタの内側または外側に取り付けられ、右チャンネルスピーカ及び左チャンネルスピーカを有するステレオスピーカと、
ステレオ音声信号源から得られる右チャンネル音声信号と左チャンネル音声信号とを入力し、それら音声信号の出力先を選択的に切り換えて、第１の切換状態では、前記右チャンネル音声信号を前記右チャンネルスピーカに、前記左チャンネル音声信号を前記左チャンネルスピーカに、それぞれ出力し、第２の切換状態では、前記右チャンネル音声信号を前記左チャンネルスピーカに、前記左チャンネル音声信号を前記右チャンネルスピーカに、それぞれ出力する音声信号切換部と、
前記画像として通常画像と該通常画像の上下が反転した反転画像と選択的に切り換えて投写することが可能な画像処理系と、
前記音声信号切換部を制御して、前記画像処理系が前記通常画像を投写する場合には、前記音声信号切換部を前記第１の切換状態にし、前記画像処理系が前記反転画像を投写する場合にも、前記音声信号切換部を前記第１の切換状態にする制御部と、
を備えるプロジェクタ。
【発明の詳細な説明】
【０００１】
【発明の属する技術分野】
本発明は、プロジェクタに内蔵されたステレオスピーカから音声を出力させるための技術に関するものである。
【０００２】
【従来の技術】
スクリーン等に画像を投写するプロジェクタは、ホームシアターなどに利用できるため、近年、急速に普及してきている。
【０００３】
プロジェクタは、通常、机上置きで使用されることが多い。ここで、机上置きとは、プロジェクタを机上などに置いて、スクリーンの正面から画像を投写して使用する形態である。このため、プロジェクタの左右は、プロジェクタを机上置きで使用した際に、スクリーンに向かって右側が右に、左側が左に、それぞれ設定されている。一般に、視聴者は、スクリーンの正面で、スクリーンに表示された画像を見る。従って、プロジェクタと視聴者は共に同じ方向を向いているため、視聴者から見て、プロジェクタの左右は視聴者のそれと一致している。従って、プロジェクタが画像をそのままスクリーンに投写しても、視聴者は、スクリーンに表示された画像として、正しい画像を見ることができる。
【０００４】
一方、プロジェクタの使用形態としては、上記した机上置きの他に、天つり（シーリング）、リア投影の２つが知られている。このうち、天つりは、プロジェクタを天井などから逆さまにつり下げて、スクリーンの正面から画像を投写して使用する形態であり、リア投影は、プロジェクタをスクリーンの背後に置き、スクリーンの背面から画像を投写して使用する形態である。
【０００５】
プロジェクタを天つりで使用した場合には、プロジェクタが逆さまに配置されているため、視聴者から見て、プロジェクタは上下反対でかつ左右も反対になっている。従って、プロジェクタが画像をそのままスクリーンに投写したのでは、視聴者から見て上下及び左右が反転した画像が表示されることになってしまう。また、プロジェクタをリア投影で使用した場合には、プロジェクタがスクリーンの背後に配置されているため、スクリーンの正面にいる視聴者から見て、プロジェクタは左右反対になっている。よって、この場合、プロジェクタが画像をそのままスクリーンに投写したのでは、視聴者から見て左右が反転した画像が表示されることになってしまう。
【０００６】
そこで、天つりで使用する場合には、プロジェクタから、本来の画像に対して上下及び左右を反転させた画像を投写するようにし、リア投影で使用する場合には、本来の画像に対して左右のみを反転させた画像を投写するようにしている。こうすることによって、プロジェクタを天つりまたはリア投影で使用した場合においても、視聴者は、スクリーンに表示された画像として、本来の正しい画像を見ることができる。
【０００７】
なお、天つりの場合、プロジェクタを上下通常の状態でつり下げるのでなく、上下逆さまの状態でつり下げるのは、以下の理由による。即ち、プロジェクタは、通常、あおり設計（プロジェクタを机上置きで使用した場合に、プロジェクタの底面よりも上側に画像が投写されるように設計）されているため、プロジェクタを上下通常の状態でつり下げると、プロジェクタの底面と天井面との間がそれほど離れていない場合には、投写された画像の一部が天井面で遮られてしまい、スクリーンに正常な画像が投写されないからである。
【０００８】
ところで、プロジェクタは、画像を投写するだけでなく、音声も出力することが可能となっており、そのために、スピーカを内蔵している。近年では、そのスピーカも、より臨場感を出すために、ステレオスピーカが多く用いられるようになってきている。このようなステレオスピーカは、プロジェクタの右側に右チャンネルスピーカが、左側に左チャンネルスピーカがそれぞれ来るように、プロジェクタの筐体の内側または外側に取り付けられている。
【０００９】
従って、プロジェクタを机上置きで使用する場合には、前述したとおり、視聴者から見て、プロジェクタの左右は視聴者のそれと一致しているため、右チャンネルスピーカは視聴者から見て右側に配置され、左チャンネルスピーカは左側に配置されることになる。よって、視聴者にとっては、見ている画像に対して、右側から聞こえてくるべき音声（右チャンネルの音声）は右側に配置されたスピーカから聞こえ、左側から聞こえるべき音声（左チャンネルの音声）は左側に配置されたスピーカから聞こえることになり、何ら問題はない。
【００１０】
【発明が解決しようとする課題】
しかしながら、プロジェクタを天つりまたはリア投影で使用する場合には、前述したとおり、プロジェクタは、視聴者から見て少なくとも左右が反対になっているため、右チャンネルスピーカは視聴者から見て左側に配置され、左チャンネルスピーカは右側に配置されることになる。従って、視聴者にとっては、見ている画像に対して、本来右側から聞こえてくるべき音声（右チャンネルの音声）が左側に配置されたスピーカから聞こえ、本来左側から聞こえるべき音声（左チャンネルの音声）が右側に配置されたスピーカから聞こえてしまい、音声が画像に対して左右逆転しているため、非常な違和感を感じるという問題があった。
【００１１】
従って、本発明の目的は、上記した従来技術の問題点を解決し、天つりまたはリア投影で使用した場合でも、右チャンネルの音声は視聴者から見て右側に配置されたスピーカから聞こえ、左チャンネルの音声は視聴者から見て左側に配置されたスピーカから聞こえるようなプロジェクタを提供することにある。
【００１２】
【課題を解決するための手段およびその作用・効果】
上記した目的の少なくとも一部を達成するために、本発明のプロジェクタは、画像を投写することが可能なプロジェクタであって、
前記プロジェクタの内側または外側に取り付けられ、右チャンネルスピーカ及び左チャンネルスピーカを有するステレオスピーカと、
ステレオ音声信号源から得られる右チャンネル音声信号と左チャンネル音声信号とを入力し、それら音声信号の出力先を選択的に切り換えて、第１の切換状態では、前記右チャンネル音声信号を前記右チャンネルスピーカに、前記左チャンネル音声信号を前記左チャンネルスピーカに、それぞれ出力し、第２の切換状態では、前記右チャンネル音声信号を前記左チャンネルスピーカに、前記左チャンネル音声信号を前記右チャンネルスピーカに、それぞれ出力する音声信号切換部と、
前記画像として通常画像と該通常画像の左右が反転した反転画像と選択的に切り換えて投写することが可能な画像処理系と、
前記音声信号切換部を制御して、前記画像処理系が前記通常画像を投写する場合には、前記音声信号切換部を前記第１の切換状態にし、前記画像処理系が前記反転画像を投写する場合には、前記音声信号切換部を前記第２の切換状態にする制御部と、
を備えることを要旨とする。
【００１３】
このように、本発明のプロジェクタでは、音声信号切換部が、右チャンネル音声信号及び左チャンネル音声信号の出力先を選択的に切り換えて、第１の切換状態では、右チャンネル音声信号を右チャンネルスピーカに、左チャンネル音声信号を左チャンネルスピーカに、それぞれ出力し、第２の切換状態では、右チャンネル音声信号を左チャンネルスピーカに、左チャンネル音声信号を右チャンネルスピーカに、それぞれ出力するようにしている。
【００１８】
このように構成することにより、例え、プロジェクタがリア投影で使用され、視聴者から見て左右反対になっていても、左右が反転した反転画像を投写することができるので、視聴者から見て、正常な画像を表示させることができる。また、反転画像を投写した場合に音声信号切換部を第２の切換状態にするので、音声も左右反転されることになり、音声が画像に対して左右逆転することがないため、視聴者に違和感を与えることがない。
【００１９】
本発明のプロジェクタは、画像を投写することが可能なプロジェクタであって、
前記プロジェクタの内側または外側に取り付けられ、右チャンネルスピーカ及び左チャンネルスピーカを有するステレオスピーカと、
ステレオ音声信号源から得られる右チャンネル音声信号と左チャンネル音声信号とを入力し、それら音声信号の出力先を選択的に切り換えて、第１の切換状態では、前記右チャンネル音声信号を前記右チャンネルスピーカに、前記左チャンネル音声信号を前記左チャンネルスピーカに、それぞれ出力し、第２の切換状態では、前記右チャンネル音声信号を前記左チャンネルスピーカに、前記左チャンネル音声信号を前記右チャンネルスピーカに、それぞれ出力する音声信号切換部と、
前記画像として通常画像と該通常画像の上下が反転した反転画像と選択的に切り換えて投写することが可能な画像処理系と、
前記音声信号切換部を制御して、前記画像処理系が前記通常画像を投写する場合には、前記音声信号切換部を前記第１の切換状態にし、前記画像処理系が前記反転画像を投写する場合にも、前記音声信号切換部を前記第１の切換状態にする制御部と、
を備えることを要旨とする。
【００２０】
例えば、プロジェクタが天つり、かつ、リア投影で使用された場合、プロジェクタは視聴者から見て上下は反対になっているが、左右は反対になっていない。従って、この場合は、上下のみ反転した画像を投写し、音声は左右反転させる必要はない。そこで、上記した構成を採ることにより、プロジェクタが天つり、かつ、リア投影で使用される場合でも、視聴者から見て、正常な画像を表示させることができると共に、音声信号切換部を第１の切換状態にするので、音声も左右反転されることがなく、画像と音声の左右は一致することになり、視聴者に違和感を与えることがない。
【００２６】
【発明の実施の形態】
以下、本発明の実施の形態を実施例に基づいて説明する。かかる説明は、以下に掲げる項目の順序で行う。
Ａ．プロジェクタの構成：
Ｂ．プロジェクタの動作：
Ｂ−１．机上置きでの動作：
Ｂ−２．天つりでの動作：
Ｂ−３．リア投影での動作：
Ｂ−４．天つり・リア投影での動作：
Ｃ．変形例：
Ｃ−１．変形例１：
Ｃ−２．変形例２：
Ｃ−３．変形例３：
Ｃ−４．変形例４：
Ｃ−５．変形例５：
【００２７】
Ａ．プロジェクタの構成：
図１は本発明の一実施例としてのプロジェクタの構成を示すブロック図である。
【００２８】
本実施例のプロジェクタ１００は、図１に示すように、大きく分けて、音声処理系と、画像処理系と、操作・制御系に分けられており、このうち、音声処理系は、外部からの音声信号を入力するための音声入力端子Ｒｉｎ，Ｌｉｎと、本発明の特徴的部分であり、音声信号の出力先を切り換えるためのアナログスイッチ１０２，１０４と、音声信号を増幅するためのアンプ１０６，１０８及び１１０，１１２と、内蔵スピーカであるステレオスピーカＲＳＰ，ＬＳＰと、外部に音声信号を出力するための音声出力端子Ｒｏｕｔ，Ｌｏｕｔと、を備えている。
【００２９】
なお、内蔵スピーカであるステレオスピーカＲＳＰ，ＬＳＰは、プロジェクタ１００の筐体の内側に取り付けられているが、筐体の外側に取り付けられていても良い。
【００３０】
また、画像処理系は、照明光を出力するための照明光学系１３２と、画像光を形成するための液晶ライトバルブ１３４と、画像光を投写するための投写光学系１３６と、外部から画像信号を入力するための画像入力端子Ｖｉｎと、画像信号を処理するための画像処理部１４０と、処理された画像信号に基づいて液晶ライトバルブ１３４を駆動するための液晶駆動回路１４２と、を備えている。
【００３１】
また、操作・制御系は、アナログスイッチ１０２，１０４や液晶ライトバルブ１３４などを制御するためのマイクロコンピュータユニット（以下、ＭＣＵと略す）１３０と、外部からプロジェクタを操作するためのリモートコントローラ（以下、リモコンと略す）１２６と、リモコン１２６からの信号を処理して、ＭＣＵ１３０に伝えるリモコン信号処理部１２８と、を備えている。
【００３２】
Ｂ．プロジェクタの動作：
前述したように、プロジェクタには、机上置き、天つり（シーリング）、リア投影の３つの使用形態があるので、それぞれの使用形態での、本実施例のプロジェクタ１００の動作について、以下説明する。
【００３３】
Ｂ−１．机上置きでの動作：
図２は図１のプロジェクタ１００を机上置きで使用する場合における音声の出力の仕方を説明するための説明図である。
【００３４】
机上置きで使用する場合、まず、設置者が、図２に示すように、プロジェクタ１００を机上（図示せず）などに置き、外部に、画像／音声信号源として、例えば、ＤＶＤプレーヤ２００を接続する。その上で、操作者が、リモコン１２６を操作して、「机上置きモード」を指示すると、その指示は、リモコン信号としてリモコン１２６からリモコン信号処理部１２８に伝達される。リモコン信号処理部１２８は、伝達されたリモコン信号を解析して、その指示内容をＭＣＵ１３０に出力する。ＭＣＵ１３０は、入力された指示内容から「机上置きモード」が選択されたことを認識すると、液晶駆動回路１４２に対し「通常表示」を指示すると共に、アナログスイッチ１０２，１０４に対し、何れもａ側に切り換わるよう、制御する。
【００３５】
その後、ＤＶＤプレーヤ２００での再生が開始されると、プロジェクタ１００の画像入力端子Ｖｉｎには、ＤＶＤプレーヤ２００から画像信号が入力されると共に、右チャンネルの音声入力端子Ｒｉｎには、右チャンネル音声信号が入力され、左チャンネルの音声入力端子Ｌｉｎには、左チャンネル音声信号が入力される。
【００３６】
入力された画像信号は、画像処理部１４０で所定の処理が施された後、液晶駆動回路１４２に入力される。液晶駆動回路１４２は、入力された画像信号に基づいて、液晶ライトバルブ１３４を駆動する。このとき、液晶駆動回路１４２は、ＭＣＵ１３０からの前述した「通常表示」の指示に従って、通常の画像が投写されるように、液晶ライトバルブ１３４を駆動する。
【００３７】
液晶ライトバルブ１３４は、照明光学系１３２によってほぼ均一に照明されているので、上記の如く駆動されると、その駆動によって画像光を形成し、その形成した画像光は、投写光学系１３６によって、スクリーンに投写され、スクリーンには、図２に示すように正常な画像が表示される。
【００３８】
一方、アナログスイッチ１０２，１０４は、前述したＭＣＵ１３０の制御によって、何れもａ側に切り換えられているので、音声入力端子Ｒｉｎから入力された右チャンネル音声信号は、アナログスイッチ１０２を通り、アンプ１０６を介して右チャンネルスピーカＲＳＰに入力される。また、音声入力端子Ｌｉｎから入力された左チャンネル音声信号は、アナログスイッチ１０４を通り、アンプ１０８を介して左チャンネルスピーカＬＳＰに入力される。従って、図２に示すように、右チャンネルスピーカＲＳＰからは、右チャンネルの音声が出力され、左チャンネルスピーカＬＳＰからは、左チャンネルの音声が出力される。
【００３９】
また、図２では、音声出力端子Ｒｏｕｔ，Ｌｏｕｔには、何も接続されていないが、外部ステレオスピーカとして、右チャンネルの音声出力端子Ｒｏｕｔに、外部右チャンネルスピーカが、左チャンネルの音声出力端子Ｌｏｕｔに、外部左チャンネルスピーカが、それぞれ接続されていたならば、音声入力端子Ｒｉｎから入力された右チャンネル音声信号は、アンプ１１０を介して、右チャンネルの音声出力端子Ｒｏｕｔから出力されて、外部右チャンネルスピーカに入力され、音声入力端子Ｌｉｎから入力された左チャンネル音声信号は、アンプ１１２を介して、左チャンネルの音声出力端子Ｌｏｕｔから出力されて、外部左チャンネルスピーカに入力される。この結果、外部右チャンネルスピーカからも、右チャンネルの音声が出力され、外部左チャンネルスピーカからも、左チャンネルの音声が出力される。
【００４０】
Ｂ−２．天つりでの動作：
図３は図１のプロジェクタ１００を天つりで使用する場合における音声の出力の仕方を説明するための説明図である。
【００４１】
天つりで使用する場合、まず、設置者が、図３に示すように、プロジェクタ１００を逆さまにして天井（図示せず）などからつり下げるように設置し、プロジェクタ１００の外部に、画像／音声信号源として、例えば、ＤＶＤプレーヤ２００を接続する。その上で、操作者が、リモコン１２６を操作して、「天つり（シーリング）モード」を指示すると、その指示は、リモコン信号としてリモコン信号処理部１２８に伝達され、リモコン信号処理部１２８は、リモコン信号を解析して、その指示内容をＭＣＵ１３０に出力する。ＭＣＵ１３０は、入力された指示内容から「天つりモード」が選択されたことを認識すると、液晶駆動回路１４２に対し「上下反転・左右反転表示」を指示すると共に、アナログスイッチ１０２，１０４に対し、何れもｂ側に切り換わるよう、制御する。
【００４２】
そして、ＤＶＤプレーヤ２００での再生が開始されると、「机上置きモード」の場合と同様に、プロジェクタ１００の画像入力端子Ｖｉｎには、ＤＶＤプレーヤ２００から画像信号が入力されると共に、右チャンネルの音声入力端子Ｒｉｎには、右チャンネル音声信号が入力され、左チャンネルの音声入力端子Ｌｉｎには、左チャンネル音声信号が入力される。
【００４３】
入力された画像信号は、画像処理部１４０を介して液晶駆動回路１４２に入力され、液晶駆動回路１４２は、その画像信号に基づいて液晶ライトバルブ１３４を駆動する。このとき、液晶駆動回路１４２は、ＭＣＵ１３０から入力された前述した「上下反転・左右反転表示」の指示に従って、通常の画像に対して上下及び左右が反転した画像が投写されるように、液晶ライトバルブ１３４を駆動する。
【００４４】
この結果、この液晶ライトバルブ１３４によって形成された画像光がスクリーンに投写されると、図３に示すように、天井から逆さまにつり下げられたプロジェクタ１００から見れば、上下及び左右が反転した画像であるが、視聴者から見れば、正常な画像がスクリーンに表示される。
【００４５】
一方、アナログスイッチ１０２，１０４は、前述したＭＣＵ１３０の制御によって、何れも、「机上置きモード」の場合とは反対のｂ側に切り換えられているので、音声入力端子Ｒｉｎから入力された右チャンネル音声信号は、今度は、アナログスイッチ１０４を通り、アンプ１０８を介して左チャンネルスピーカＬＳＰに入力される。また、音声入力端子Ｌｉｎから入力された左チャンネル音声信号の方は、アナログスイッチ１０２を通り、アンプ１０６を介して右チャンネルスピーカＲＳＰに入力される。従って、「天つりモード」の場合には、図３に示すように、右チャンネルスピーカＲＳＰからは、左チャンネルの音声が出力され、左チャンネルスピーカＬＳＰからは、右チャンネルの音声が出力される。
【００４６】
このとき、プロジェクタ１００は、前述したとおり、天井から逆さまにつり下げられているので、視聴者から見れば、上下が反対でかつ左右も反対になっており、右チャンネルスピーカＲＳＰは視聴者から見て左側に配置され、左チャンネルスピーカＬＳＰは右側に配置されている。従って、視聴者にとっては、見ている画像に対して、右側から聞こえてくるべき音声（右チャンネルの音声）が右側に配置されたスピーカＬＳＰから聞こえ、左側から聞こえるべき音声（左チャンネルの音声）が左側に配置されたスピーカＲＳＰから聞こえることになる。よって、音声が画像に対して左右逆転することがないため、視聴者は違和感なく、音声を聞くことができる。
【００４７】
また、図３でも、音声出力端子Ｒｏｕｔ，Ｌｏｕｔには、何も接続されていないが、仮に、外部ステレオスピーカとして、右チャンネルの音声出力端子Ｒｏｕｔに、外部右チャンネルスピーカが、左チャンネルの音声出力端子Ｌｏｕｔに、外部左チャンネルスピーカが、それぞれ接続されていたとしても、音声入力端子Ｒｉｎから入力された右チャンネル音声信号は、「机上置きモード」の場合と同様に、アンプ１１０を介して、右チャンネルの音声出力端子Ｒｏｕｔから出力されて、外部右チャンネルスピーカに入力され、音声入力端子Ｌｉｎから入力された左チャンネル音声信号は、アンプ１１２を介して、左チャンネルの音声出力端子Ｌｏｕｔから出力されて、外部左チャンネルスピーカに入力される。この結果、外部右チャンネルスピーカからは、右チャンネルの音声が出力され、外部左チャンネルスピーカからは、左チャンネルの音声が出力される。
【００４８】
外部ステレオスピーカは、プロジェクタ１００とは別体であるため、プロジェクタの配置状態と無関係に、配置することができる。従って、プロジェクタ１００が、例え天井から逆さまにつり下げられ、上下及び左右が反対になっていたとしても、外部ステレオスピーカは、その左右が視聴者の左右と一致するように、即ち、外部右チャンネルスピーカは視聴者から見て右側に、外部左チャンネルスピーカは視聴者から見て左側に、それぞれ配置することができる。
【００４９】
従って、このような外部ステレオスピーカを設置した場合も、視聴者にとっては、見ている画像に対して、右チャンネルの音声は右側に配置された外部右チャンネルスピーカから、左チャンネルの音声は左側に配置された外部左チャンネルスピーカから、それぞれ聞こえることになり、画像や内蔵ステレオスピーカからの音声に対して左右逆転することなく、視聴者は問題なく音声を聞くことができる。
【００５０】
Ｂ−３．リア投影での動作：
図４は図１のプロジェクタ１００をリア投影で使用する場合における音声の出力の仕方を説明するための説明図である。
【００５１】
リア投影で使用する場合、まず、設置者が、図４に示すように、プロジェクタ１００を透過型スクリーン３００の背後に置いて、プロジェクタ１００の外部に、画像／音声信号源として、例えば、ＤＶＤプレーヤ２００を接続する。その上で、操作者が、リモコン１２６を操作して、「リア投影モード」を指示すると、その指示はリモコン信号処理部１２８に伝達され、リモコン信号処理部１２８は、その指示内容をＭＣＵ１３０に伝える。ＭＣＵ１３０は、その指示内容から「リア投影モード」が選択されたことを認識すると、液晶駆動回路１４２に対し「左右反転表示」を指示すると共に、アナログスイッチ１０２，１０４に対し、「天つりモード」の場合と同様に、何れもｂ側に切り換わるよう、制御する。
【００５２】
そして、ＤＶＤプレーヤ２００での再生が開始されると、プロジェクタ１００の画像入力端子Ｖｉｎには画像信号が、右チャンネルの音声入力端子Ｒｉｎには右チャンネル音声信号が、左チャンネルの音声入力端子Ｌｉｎには左チャンネル音声信号が、それぞれ入力される。
【００５３】
入力された画像信号は、画像処理部１４０を介して液晶駆動回路１４２に入力され、液晶駆動回路１４２は、その画像信号に基づいて液晶ライトバルブ１３４を駆動する。このとき、液晶駆動回路１４２は、ＭＣＵ１３０から入力された「左右反転表示」の指示に従って、通常の画像に対して左右のみ反転した画像が投写されるように、液晶ライトバルブ１３４を駆動する。
【００５４】
これにより、液晶ライトバルブ１３４によって形成された画像光が透過型スクリーン３００に投写されると、透過型スクリーン３００の背後に配置されたプロジェクタ１００から見れば、左右が反転した画像であるが、透過型スクリーン３００の正面にいる視聴者から見れば、図４に示すように、正常な画像が透過型スクリーン３００に表示される。
【００５５】
一方、アナログスイッチ１０２，１０４は、前述したＭＣＵ１３０の制御によって、何れもｂ側に切り換えられているので、「天つりモード」の場合と同様に、音声入力端子Ｒｉｎから入力された右チャンネル音声信号は、アナログスイッチ１０４からアンプ１０８を介して左チャンネルスピーカＬＳＰに入力される。また、音声入力端子Ｌｉｎから入力された左チャンネル音声信号は、アナログスイッチ１０２からアンプ１０６を介して右チャンネルスピーカＲＳＰに入力される。従って、「リア投影モード」の場合も、「天つりモード」の場合と同様に、右チャンネルスピーカＲＳＰからは、図４に示すように、左チャンネルの音声が出力され、左チャンネルスピーカＬＳＰからは、右チャンネルの音声が出力される。
【００５６】
前述したとおり、プロジェクタ１００は、透過型スクリーン３００の背後にあるので、透過型スクリーン３００の正面にいる視聴者から見れば、左右が反対になっており、そのため、右チャンネルスピーカＲＳＰは視聴者から見て左側に配置され、左チャンネルスピーカＬＳＰは右側に配置されている。従って、音声が上記したように出力されることにより、視聴者にとっては、見ている画像に対して、右側から聞こえてくるべき音声（右チャンネルの音声）が右側に配置されたスピーカＬＳＰから聞こえ、左側から聞こえるべき音声（左チャンネルの音声）が左側に配置されたスピーカＲＳＰから聞こえることになる。よって、この場合も、音声が画像に対して左右逆転することがなく、視聴者は違和感を覚えることなく、音声を聞くことができる。
【００５７】
また、図４でも、音声出力端子Ｒｏｕｔ，Ｌｏｕｔには、何も接続されていないが、仮に、右チャンネルの音声出力端子Ｒｏｕｔに、外部右チャンネルスピーカが、左チャンネルの音声出力端子Ｌｏｕｔに、外部左チャンネルスピーカが、それぞれ接続されていたとしても、音声入力端子Ｒｉｎから入力された右チャンネル音声信号は、「机上置きモード」，「天つりモード」の場合と同様に、アンプ１１０を介して、右チャンネルの音声出力端子Ｒｏｕｔから出力されて、外部右チャンネルスピーカに入力され、音声入力端子Ｌｉｎから入力された左チャンネル音声信号は、アンプ１１２を介して、左チャンネルの音声出力端子Ｌｏｕｔから出力されて、外部左チャンネルスピーカに入力される。この結果、外部右チャンネルスピーカからは、右チャンネルの音声が出力され、外部左チャンネルスピーカからは、左チャンネルの音声が出力される。
【００５８】
「リア投影モード」の場合も、外部ステレオスピーカは、プロジェクタ１００とは別体であるため、プロジェクタの配置状態と無関係に、配置することができる。従って、プロジェクタ１００が、透過型スクリーン３００の背後に配置されることにより、視聴者と左右が反対になっていたとしても、外部ステレオスピーカは、その左右が視聴者の左右と一致するように、即ち、外部右チャンネルスピーカは視聴者から見て右側に、外部左チャンネルスピーカは視聴者から見て左側に、それぞれ配置することができる。
【００５９】
従って、視聴者にとっては、見ている画像に対して、右チャンネルの音声は右側に配置された外部右チャンネルスピーカから、左チャンネルの音声はが左側に配置された外部左チャンネルスピーカから、それぞれ聞こえることになり、画像や内蔵ステレオスピーカからの音声に対して左右逆転することなく、視聴者は問題なく音声を聞くことができる。
【００６０】
Ｂ−４．天つり・リア投影での動作：
さて、プロジェクタの使用形態としては、前述したとおり、机上置き、天つり（シーリング）、リア投影の３つの使用形態があるが、この他、複合使用形態として、天つり、かつ、リア投影で使用する場合も考えられる。
【００６１】
天つり、かつ、リア投影で使用する場合、まず、設置者が、プロジェクタ１００を逆さまにして天井（図示せず）などからつり下げ、かつ、プロジェクタ１００を透過型スクリーン３００の背後に設置し、プロジェクタ１００の外部に、画像／音声信号源として、例えば、ＤＶＤプレーヤ２００を接続する。その上で、操作者が、リモコン１２６を操作して、「天つり・リア投影モード」を指示すると、その指示は、リモコン信号としてリモコン信号処理部１２８に伝達され、リモコン信号処理部１２８は、リモコン信号を解析して、その指示内容をＭＣＵ１３０に出力する。ＭＣＵ１３０は、入力された指示内容から「天つり・リア投影モード」が選択されたことを認識すると、液晶駆動回路１４２に対し「上下反転表示」を指示すると共に、アナログスイッチ１０２，１０４に対し、何れもａ側に切り換わるよう、制御する。
【００６２】
そして、ＤＶＤプレーヤ２００での再生が開始されると、プロジェクタ１００の画像入力端子Ｖｉｎには、ＤＶＤプレーヤ２００から画像信号が入力されると共に、右チャンネルの音声入力端子Ｒｉｎには、右チャンネル音声信号が入力され、左チャンネルの音声入力端子Ｌｉｎには、左チャンネル音声信号が入力される。
【００６３】
入力された画像信号は、画像処理部１４０を介して液晶駆動回路１４２に入力され、液晶駆動回路１４２は、その画像信号に基づいて液晶ライトバルブ１３４を駆動する。このとき、液晶駆動回路１４２は、ＭＣＵ１３０から入力された前述した「上下反転表示」の指示に従って、通常の画像に対して上下のみ反転した画像が投写されるように、液晶ライトバルブ１３４を駆動する。
【００６４】
このとき、プロジェクタ１００は、前述したとおり、天井から逆さまにつり下げられ、かつ、透過型スクリーン３００の背後に配置されているので、視聴者から見れば、上下のみが反対になっている。従って、上記のように駆動された液晶ライトバルブ１３４によって形成された画像光がスクリーンに投写されると、プロジェクタ１００から見れば、上下が反転した画像であるが、視聴者から見れば、正常な画像がスクリーンに表示される。
【００６５】
一方、アナログスイッチ１０２，１０４は、前述したＭＣＵ１３０の制御によって、何れも、「机上置きモード」の場合と同様のａ側に切り換えられているので、音声入力端子Ｒｉｎから入力された右チャンネル音声信号は、アナログスイッチ１０２を通り、アンプ１０６を介して右チャンネルスピーカＲＳＰに入力される。また、音声入力端子Ｌｉｎから入力された左チャンネル音声信号は、アナログスイッチ１０４を通り、アンプ１０８を介して左チャンネルスピーカＬＳＰに入力される。従って、右チャンネルスピーカＲＳＰからは、右チャンネルの音声が出力され、左チャンネルスピーカＬＳＰからは、左チャンネルの音声が出力される。
【００６６】
プロジェクタ１００は、前述したとおり、視聴者から見れば、上下のみが反対になっているので、右チャンネルスピーカＲＳＰは、「机上置きモード」の場合と同様、視聴者から見て右側に配置され、左チャンネルスピーカＬＳＰは左側に配置されている。従って、視聴者にとって、見ている画像に対して、右側から聞こえてくるべき音声（右チャンネルの音声）が右側に配置されたスピーカＲＳＰから聞こえ、左側から聞こえるべき音声（左チャンネルの音声）が左側に配置されたスピーカＬＳＰから聞こえることになる。
【００６７】
また、外部ステレオスピーカとして、右チャンネルの音声出力端子Ｒｏｕｔに、外部右チャンネルスピーカが、左チャンネルの音声出力端子Ｌｏｕｔに、外部左チャンネルスピーカが、それぞれ接続されていたならば、音声入力端子Ｒｉｎから入力された右チャンネル音声信号は、アンプ１１０を介して、右チャンネルの音声出力端子Ｒｏｕｔから出力されて、外部右チャンネルスピーカに入力され、音声入力端子Ｌｉｎから入力された左チャンネル音声信号は、アンプ１１２を介して、左チャンネルの音声出力端子Ｌｏｕｔから出力されて、外部左チャンネルスピーカに入力される。この結果、外部右チャンネルスピーカからも、右チャンネルの音声が出力され、外部左チャンネルスピーカからも、左チャンネルの音声が出力される。
【００６８】
Ｃ．変形例：
なお、本発明は上記した実施例や実施形態に限られるものではなく、その要旨を逸脱しない範囲において種々の態様にて実施することが可能である。
【００６９】
Ｃ−１．変形例１：
上記した実施例では、ＭＣＵ１３０が、操作者からのモード指示に従ってアナログスイッチ１０２，１０４を制御することによって、音声信号の出力先を切り換えるようにしているが、本発明はこれに限定されるものではなく、操作者が、プロジェクタ１００に設けられたボタンやつまみなどを操作することによって、アナログスイッチ１０２，１０４を直接切り換えるようにしても良い。
【００７０】
Ｃ−２．変形例２：
上記した実施例では、「天つりモード」の場合、操作者が「天つりモード」を指示することによって、ＭＣＵ１３０は、「天つりモード」が選択されたことを認識していたが、本発明はこれに限定されるものではなく、プロジェクタ１００内に、例えば、重力センサや姿勢センサなどを設け、プロジェクタ１００が設置者によって上下逆さまに配置された場合に、上記センサによって、そのことを検知してＭＣＵ１３０に伝達することにより、ＭＣＵ１３０が、「天つりモード」が選択されたことを認識するようにしても良い。
【００７１】
Ｃ−３．変形例３：
上記した実施例では、音声信号切換部として、アナログスイッチを用いていたが、デジタルスイッチを用いるようにしても良い。あるいは、電子スイッチのみならず、機械的スイッチを用いるようにしても良い。
【００７２】
Ｃ−４．変形例４：
上記した実施例では、ステレオ音声信号や画像信号は、外部から入力するようにしていたが、プロジェクタ１００自体が、ステレオ音声信号源や画像信号源を有するようにしても良い。
【００７３】
Ｃ−５．変形例５：
上記した実施例では、液晶駆動回路１４２による駆動方法を変えることによって、上下反転や左右反転した画像を生成するようにしていたが、画像処理部１４０における画像処理によってそのような画像を生成するようにしても良いし、投写光学系１３６などにおいて、光学的にそのような画像を形成するようにしても良い。
【００７４】
Ｃ−６．変形例６：
上記した実施例では、プロジェクタ１００は、電気光学装置として液晶ライトバルブ１３４を用いていたが、これに代えて、マイクロミラー光変調装置や、ＣＲＴなどを備えるようにしても良い。マイクロミラー光変調装置としては、例えば、ＤＭＤ（デジタルマイクロミラーデバイス）（ＴＩ社の商標）を用いることができる。
【図面の簡単な説明】
【図１】本発明の一実施例としてのプロジェクタの構成を示すブロック図である。
【図２】図１のプロジェクタ１００を机上置きで使用する場合における音声の出力の仕方を説明するための説明図である。
【図３】図１のプロジェクタ１００を天つりで使用する場合における音声の出力の仕方を説明するための説明図である。
【図４】図１のプロジェクタ１００をリア投影で使用する場合における音声の出力の仕方を説明するための説明図である。
【符号の説明】
１００…プロジェクタ
１０２，１０４…アナログスイッチ
１０６，１０８，１１０，１１２…アンプ
１２６…リモコン
１２８…リモコン信号処理部
１３０…ＭＣＵ
１３２…照明光学系
１３４…液晶ライトバルブ
１３６…投写光学系
１４０…画像処理部
１４２…液晶駆動回路
２００…ＤＶＤプレーヤ
３００…透過型スクリーン
ＬＳＰ…左チャンネルスピーカ
Ｌｉｎ…左チャンネル音声入力端子
Ｌｏｕｔ…左チャンネル音声出力端子
ＲＳＰ…右チャンネルスピーカ
Ｒｉｎ…右チャンネル音声入力端子
Ｒｏｕｔ…右チャンネル音声出力端子
Ｖｉｎ…画像入力端子
【図１】
0003738698.tif 000002
【図２】
0003738698.tif 000003
【図３】
0003738698.tif 000004
【図４】
0003738698.tif 000005